(57)【要約】【課題】稼働中の性能監視方法においてＳＲＳによりもたらされる不正確さを補償する方法を提供すること。【解決手段】光増幅伝送システムのための性能監視方法である。本方法は、各光位置における光出力を出力し、現在使われている方法で得られた出力推定において、ＳＲＳによりもたらされた不正確さを考慮に入れている。光スペクトルアナライザが伝送リンクの出力で用いられ、各波長の出力を正確に測定する。この値は上流に送られリンクの最終増幅器へ送られ、実際の測定値と推定値の間の相違として誤差項を算出する。このモデルでは説明されないが、システム要素によるＳＲＳ誘導誤差を推定するのに誤差項が用いられる。それから誤差項は、リンクの各増幅器へとフィードバックされ、推定出力がＳＲＳに起因する不正確さに対するよう調整される。【選択図】図３
2004515186.tif 000002
【特許請求の範囲】
【請求項１】
光伝送リンクの光増幅器Ａｊにおいて、ｊが１からＮの間の整数であるとして、対象となる光信号の光パラメータについての推定値Ｐｊを出力するステップと、
前記光伝送リンクの出力における前記光パラメータについての測定値ＯＮ＋１を出力するステップと、
前記光増幅器Ａｊにおいて、前記推定値Ｐｊ及び前記測定値ＯＮ＋１に基づいて前記光パラメータについての補償値Ｏｊを決定するステップと、
を備える光増幅伝送システムのための性能監視方法。
【請求項２】
前記光パラメータが光出力である請求項１に記載の方法。
【請求項３】
前記推定値Ｐｊの出力ステップは、
前記光増幅器Ａｊにおける前記光信号の一部分を転送するステップと、
前記一部分からオーバヘッド信号を分離し、前記オーバヘッド信号のＲＭＳを測定するステップと、
前記ＲＭＳ値及び前記オーバヘッド信号の既知のｅ変調深度を用いて前記光信号の光出力を推定するステップと、
を備える請求項２に記載の方法。
【請求項４】
前記補償値Ｏｊを決定するステップは、
前記光増幅器において、下流の増幅器Ａｊ＋１から誤差項Ｅｊ＋１を受けとるステップと、
補償モデルを用いて前記推定値Ｐｊについての調整値Ａｄｊを予測するステップと、
を備える請求項２に記載の方法。
【請求項５】
前記調整値及び前記推定値Ｐｊを用いて前記補償値Ｏｊを算出するステップをさらに備える請求項４に記載の方法。
【請求項６】
前記補償モデルは、前記推定値Ｐｊ及び前記誤差項Ｅｊ＋１を受けとって前記調整値Ａｄｊ及びローカル誤差項Ｅｊを出力する請求項４に記載の方法。
【請求項７】
前記補償モデルは、前記見積もり値Ｐｊ、前記誤差項Ｅｊ＋１、及び１つ又は複数の補正要素を受けとり、前記調整値Ａｄｊ及びローカル誤差項Ｅｊを出力する請求項４に記載の方法。
【請求項８】
前記ローカル誤差項Ｅｊを上流増幅器Ａｊ−＋１に伝送するステップをさらに備える請求項６に記載の方法。
【請求項９】
前記伝送ステップは、前記光信号と逆の方向に進行するチャネルに前記ローカル誤差項Ｅｊを挿入するステップを備える請求項６に記載の方法。
【請求項１０】
前記分離ステップは、前記部分を電気信号に変換して前記電気信号から前記オーバヘッド信号の構成要素を検出するステップを備える請求項３に記載の方法。
【請求項１１】
前記推定ステップは、前記電気信号のＤＣ値を測定するステップと、前記ＲＭＳ値を前記ＤＣ値で割ることにより前記オーバヘッド信号の変調深度を決定するステップと、前記変調深度に基づいて光出力を評価するステップと、を備える請求項１０に記載の方法。
【請求項１２】
前記測定値ＯＮ＋１は、光スペクトルアナライザを用いて得られる請求項１に記載の方法。
【請求項１３】
入力光信号を出力光信号に増幅する光伝送リンクに接続される光増幅モジュールと、
前記光信号の光出力についての推定値Ｐｊを出力する出力推定器と、
前記推定値Ｐｊ及び誤差項Ｅｊ＋１を受信して前記調整値Ａｄｊ及びローカル誤差項Ｅｊを出力する補償モデルと、
前記推定値Ｐｊ、前記誤差項Ｅｊ＋１、及び調整値Ａｄｊを受信して前記光出力に対する補償値Ｏｊを決定する計算配置部と、
を備える光増幅器。
【請求項１４】
前記補償モデルは、前記リンク、前記リンクの入力におけるローンチ出力、及び前記リンクの前記光増幅器のシーケンシャル位置に関して用いられるタイプのファイバについて少なくとも要因となる請求項１３に記載の光増幅器。
【請求項１５】
前記誤差項Ｅｊ＋１は、下流の増幅器及び前記リンクの出力における受信端末の１つから受信される請求項１３に記載の光増幅器。
【請求項１６】
前記誤差項Ｅｊ＋１は、逆光監視チャネル（ＯＳＣ）を通して受信される請求項１３に記載の光増幅器。
【請求項１７】
前記ローカル誤差項Ｅｊは、上流の増幅器及び前記リンクの入力における送信端末の１つに送信される請求項１３に記載の光増幅器。
【請求項１８】
前記ローカル誤差項Ｅｊは、逆光監視チャネル（ＯＳＣ）を通して受信される請求項１３に記載の光増幅器。
【請求項１９】
送信及び受信端末間における光伝送リンクであって、
前記送信及び受信端末間で連続して接続される複数の光増幅器Ａ１．．Ａｊ．．ＡＮを備え、
前記受信端末において、光パラメータについての測定値ＯＮ＋１を出力して前記測定値を前記リンクの最終光増幅器ＡＮに送信し、
前記最終光増幅器ＡＮにおいて、前記測定値ＯＮ＋１を受信して前記パラメータについてのローカル誤差項ＥＮ及び補償値ＯＮを決定し、
各光増幅器Ａｊにおいて、誤差項Ｅｊ＋１を受信して前記パラメータについてのローカル誤差項Ｅｊ及び補償値Ｏｊを決定し、
ｊは１とＮの間の整数であって、リンク中の前記光増幅器のシーケンシャル位置を与えるものである、光伝送リンク。
【請求項２０】
前記誤差項は、逆光監視チャネル（ＯＳＣ）を通って前記光増幅器と前記端末の間で送信される請求項１９に記載の光伝送リンク。
【発明の詳細な説明】
【０００１】
【発明の属する技術分野】
本発明は光伝送システムに関し、特に波長分割多重（ＷＤＭ）及び狭帯域ＷＤＭ（ＤＷＤＭ）ネットワークの光性能モニタリングに関する。
【０００２】
【従来の技術】
性能監視（ＰＭ，Ｐｅｒｆｏｒｍａｎｃｅ Ｍｏｎｉｔｏｒｉｎｇ）とは、伝送品質（ＧＲ−２５３−ＣＯＲＥ、１９９５年１２月２日発行）を稼働しながら陰に隠れた形で監視するものである。性能監視は、課題解決への試みが成功することの指示を備えるものであり、トラフィックに影響を与える前に問題を分離し解決し、装置がトラフィックの品質に悪影響を与える原因となる実体を決定できるようにしている。
【０００３】
光チャネルにおける信号の出力は、増幅光ネットワークの性能を制御する上で、最も重要な要素の１つとなってきている。まず、減衰又は伝送損失が、信号回復前の最大伝送距離を決定している。同様に、ＤＷＤＭ長距離伝送にとって重要であるものは、最適なＢＥＲ性能にとって必要とされるチャネルの均一化である。均一化とは、ファイバで相互伝搬する全チャネルが、各受信器において実質的に同一な光の信号対雑音比をもつことを意味している。
【０００４】
光ファイバ内の信号減衰については、多くのメカニズムが原因となっている。所定タイプのファイバについては、これらのメカニズムに影響を与える多くの要因がある。従って信号の減衰は、とりわけファイバを経ての信号の伝達、ローンチ力、及び相互伝搬チャネルの数（波長）に依存している。
【０００５】
これらのメカニズムは、伝送媒体の材料組成、伝搬及び浄化技術、及び導波路の構造により影響を受ける。これらはまた、材料吸収、材料散乱（線形及び非線形拡散）カーブ、及びマイクロベンド損失、モード結合ラジエーション損失、及び漏れやすい損失に起因する損失を含む、複数の主要な領域に分類される。
【０００６】
非線形材料散乱損失は、ファイバで送信される情報の帯域幅（チャネル数及びチャネルのレート）及び距離が増加するにつれ、特に問題となる。非線形散乱は、あるモードからの光出力が、異なる周波数における同じか又は他のモードへの方向に対して、前方又は後方に送信される要因となる。このことは、ファイバ内の光出力密度に大きく依存しており、従ってしきい値となる出力レベルを超えると問題となる。非線形散乱の最も重要なタイプは、誘導ブリュアン及びラマン散乱であり、通常両方とも高出力密度でのみ観測される。こうした散乱メカニズムは、実際光学利得を与えるが、周波数が変化するとそれにより特定波長における光の伝送が減衰する要因となる。
【０００７】
本発明に関するものとしては誘導ラマン散乱（ＳＲＳ）がある。ラマン散乱は、ファイバ内の熱分子振動を通る光の変調に属する非線形現象である。ＳＲＳにより、短波長からのエネルギーは長波長へと伝送され、その結果Ｄ／ＷＤＭシステムにおけるチャネル間でクロストークが発生する。意義あるものとするためには、ローンチ出力は、媒体（ファイバ）に依存する所定しきい値を超えなければならない。
【０００８】
端末相互間の転送リンクを相互監視するかなり効率的な方法は、出願人の送信システムで用いられる、「アナログ維持−１（ＡＭ−１）」の方法である。この方法は米国特許番号５，５１３，０２９（発明者Ｒｏｂｅｒｔｓ、発行日９６年４月３０日で、出願人ノーテルネットワークコーポレーション）で開示されている。
【０００９】
ＡＭ−１は、送信機側の振幅変調に関するものであり、各チャネルは特定の擬似ランダムディザチャネルを持ち、ディザチャネルは既知の変調深度を持つ。各チャネルについて、受信器は受信したディザの出力を推定し、既知の変調深度及び立ち上げ出力を用いて各チャネルで受信された出力を決定する。
【００１０】
しかしながら、光キャリアの数が増加することで、スペクトルの比較的狭い部分を共有するときの、各チャネルのディザを検出するのに必要となる回路が複雑であるため、高速Ｄ／ＷＤＭネットワークにこの方法を適用することは制限されている。
【００１１】
アナログ維持−２（ＡＭ−２）は、多くの数のチャネルを持つＤ／ＷＤＭネットワークへの適用に用いられる。この方法は、米国特許出願番号ＳＮ ０９／５３９，７０６（Ｈａｒｌｅｙ ｅｔ ａｌ、出願日２０００年３月３１日、出願人ノーテルネットワークコーポレーション）の目的となっている。
【００１２】
ＡＭ−２は、明瞭なパルス（デジタル）シーケンスを持つ各チャネルの変調を規定し、ここで変調のＲＭＳは、各チャネルの平均出力に比例する。遠端受信器はパルス変調を回復し、各チャネルについての変調のＲＭＳを決定する。それからチャネル出力は、各チャネルについての変調深度（既知）及びＲＭＳ値に基づいて推定される。
【００１３】
一般的に、２０チャネル程度のシステムは、ＳＲＳによる影響は取るに足らないものであり、ＡＭ−２性能監視方法は、ＳＲＳの補償をせずに用いることができる。しかしながら、超高速で、２０を超える送信チャネルを有するシステムにおいて、ＳＲＳは、ＡＭ−２によって提供される出力の推定において、不正確さを誘起する。ＳＲＳに誘起される不正確さは、概念的には次のように表される。
【００１４】
【数１】
2004515186.tif 000003
【００１５】
ＡＭｅｒｒｏｒは、ＳＲＳに誘起された不正確さであり、ｇ’はラマン利得（ファイバの効率領域に反比例している）であり、Δλは波長のスプレッド（ナノメータ単位）であり、Ｐ０はローンチ出力であり、Ｎｃｈはチャネル数であり、Ｎｓｐはスパンの数であり、αはファイバ減衰である。
【００１６】
【発明が解決しようとする課題】
式（１）は、ＳＲＳに誘起された不正確さが、波長の数、ローンチ出力、スパンの数、及び波長のスプレッドが増加するにつれ、より重要となっていくことを示している。また補足すると、波長を２乗した数に比例して増加する。
【００１７】
ＳＲＳに誘起されたＡＭ−２出力測定の不正確さは、スペクトルアナライザを用いてアドレスすることができる。光スペクトルアナライザは、ＳＲＳに対して表に出るものではなく、影響を受けるものではなく、その結果ＳＲＳが意義あるものになる複雑なシステムがよりよく均一化される。スペクトルアナライザを用いるとき、ＡＭ−２の方法は、そのことが波長識別（ウェーブＩＤ）及び光反射計機能を提供するという点において、依然としてかなり有用である。一方で光スペクトルアナライザは、中央ネットワーク管理システムに厳重に統合される必要がある。さらに、これは装置においてかなり高価な部分である。
【００１８】
高速Ｄ／ＷＤＭシステムにおけるチャネルの出力を測定する信頼できる方法を提供する必要があるが、このことは伝送媒体の特性及びネットワークにおける要素によりもたらされる不正確さの要因になっている。
【００１９】
この発明の目的は、稼働中の性能監視方法においてＳＲＳによりもたらされる不正確さを補償する方法を提供することである。
【００２０】
【課題を解決するための手段】
本発明にかかる方法で用いられる補償モデルは、具現化を考えたときの前提を単純化するＳＲＳ分析モデルから得られる。この方法は、閉ループタイプが原則である。すなわち、この方法は、伝送リンクの出力におけるパラメータの正確な測定を規定し、出力ノードから始めて逆の順で各ノードにおけるパラメータを監視する既存の方法により与えられた推定値を補正する。
【００２１】
本発明の一形態によると、光増幅伝送システムのための性能監視方法は、光伝送リンクの光増幅器Ａｊにおいて、ｊが１からＮの間の整数であるとして、対象となる光信号の光パラメータについての推定値Ｐｊを出力し、前記光伝送リンクの出力における前記光パラメータについての測定値ＯＮ＋１を出力し、前記光増幅器Ａｊにおいて、前記推定値Ｐｊ及び前記測定値ＯＮ＋１に基づいて前記光パラメータについての補償値Ｏｊを決定する。
【００２２】
また本発明の他の形態によると、光増幅器は、入力光信号を出力光信号に増幅する光伝送リンクに接続される光増幅モジュールと、前記光信号の光出力についての推定値Ｐｊを出力する出力推定器と、前記推定値Ｐｊ及び誤差項Ｅｊ＋１を受信して前記調整値Ａｄｊ及びローカル誤差項Ｅｊを出力する補償モデルと、前記推定値Ｐｊ、前記誤差項Ｅｊ＋１、及び調整値Ａｄｊを受信して前記光出力に対する補償値Ｏｊを決定する計算配置部と、を備える。
【００２３】
また本発明のさらに他の形態によると、送信及び受信端末間における光伝送リンクは、前記送信及び受信端末間で連続して接続される複数の光増幅器Ａ１．．Ａｊ．．ＡＮを備え、前記受信端末において、光パラメータについての測定値ＯＮ＋１を出力して前記測定値を前記リンクの最終光増幅器ＡＮに送信し、前記最終光増幅器ＡＮにおいて、前記測定値ＯＮ＋１を受信して前記パラメータについてのローカル誤差項ＥＮ及び補償値ＯＮを決定し、各光増幅器Ａｊにおいて、誤差項Ｅｊ＋１を受信して前記パラメータについてのローカル誤差項Ｅｊ及び補償値Ｏｊを決定し、ｊは１とＮの間の整数であって、リンク中の前記光増幅器のシーケンシャル位置を与える。
【００２４】
本発明に係る性能監視方法は、現時点での出力推定による不正確さを充分減少し、多くのシステムで受け入れられる均一化を果たす。そして２０チャネル以上を有するシステムのＳＲＳに起因する不正確さを充分補償する。その結果、本発明に係るＳＲＳに起因するエラーの補償は、通信リンクの帯域幅及び送信距離を広げる。
【００２５】
さらにこの補償方法は、ファイバタイプ、ファイバ減衰、波長の数、スパンの数、ローンチ出力等の伝送媒体の特性に影響を与える。また、光増幅器、ＤＣＭ（分散補償モジュール）等のネットワークに存在する要素によりもたらされる不正確さに影響を与える。その結果、出力の推定は従来の方法よりもきちんとしたものとなり、システムの変動に影響を受けにくくなる。
【００２６】
さらに、この方法は、単一方向のシステムについては単一のＯＳＡを、双方向のシステムについては２つのＯＳＡを必要としている。
【００２７】
【発明の実施の形態】
図１Ａは、例えば５チャネルについて波長間のクロストークが、どのようにＳＲＳに起因して起こるかを図示したものである。図１Ａはまた、λ１−λ５の全チャネルがファイバ１の入力側で同じ出力を有すること、及びどのように出力がファイバ１の出力におけるより高い周波数へと推移していくのかを示している。従って、２で示されるようにチャネルλ２は、ＳＲＳを介したチャネルλ１から送信された情報を持っており、３で示されるようにチャネルλ３は、ＳＲＳを介したチャネルλ１及びλ２から送信された情報を運んでいる。４で示される情報は、チャネルλ１、λ２、λ３からチャネルλ４について送信される。５で示される情報は、チャネルλ１、λ２、λ３、λ４からチャネルλ５について送信される。
【００２８】
より高い波長におけるクロストーク要素は、チャネル数が増えるにつれて大きくなる。これは式（１）とも整合性がとれている。
【００２９】
図１Ｂは、非シフト分散ファイバ（ＮＳＤＦ）を用いて、６スパンリンクのＡＣ及びＤＣの出力／波長伝達関数を示している。ＡＣ伝達関数は７で示されており、ＤＣ伝達関数は８で示されている。ＤＣ出力は波長に比例して変化することがこのグラフから明らかである。
【００３０】
図２は、送信端末１０及び受信端末２０の間で結合された増幅光リンクを示しており、Ｎの光増幅器１２１、１２２、・・，１２Ｎ
の鎖を含んでいる。端末１０は、複数チャネルを各情報で変調する複数の波長送信器、及びチャネルを多重チャネル信号に結合するマルチプレクサで構成される。一般的に、光サービスチャネル（ＯＳＣ）は、情報チャネルと共に同一ファイバを進行する。端末２０は、多重チャネル信号を受信しチャネルを分離するデマルチプレクサと各チャネルからの情報を回復する複数の波長受信器により構成される。
【００３１】
リンク９は、光増幅器を図示するのに用いられるシンボルで示される通り双方向である。しかしながら、簡略化のため、本発明の方法では、トラフィックの東西方向にのみについて明示しており、同様の処理及び考え方は、トラフィックの東西方向に対して明らかに当てはまる。トラフィックの東西方向については、光増幅器１２ｊ−１が光増幅器１２ｊからの上流として定義され、光増幅器１２ｊ＋１が光増幅器１２ｊからの下流として定義される。さらに、簡略化のため本発明を１チャネルのみに適用する場合について説明する。同様の処理が、リンク９を進行する全チャネルについて実行される。
【００３２】
送信位置１０及び第１光増幅器１２１の間のファイバスパンは１１１で示され、最終光増幅器１２Ｎと受信位置２０の間のスパンは１１Ｎ＋１で示される。一般的に、２つの連続する増幅器１２ｊ−１及び１２ｊの間のスパンは、１１ｊで示される。図２では、スプリッタ及びカプラ（例えば光増幅器をファイバに接続するためのもの）等の要素、分散補償モジュール、減衰器、リンク９に結合することができる他の要素については、明白には図示していない。
【００３３】
各光増幅器１２ｊは、上述の特許出願ＳＮ０９／５３９，７０６（Ｈａｒｌｅｙ ｅｔ ａｌ）で説明されているように、ＡＭ−２システムによる出力を推定する手段と接続されている。増幅器は出力を推定する他の手段とすることができ、本発明はＡＭ−２方法で得られる推定を補正することに制限されない。本発明は、ＳＲＳにより誘起される不正確さを引き起こさない他の出力推定方法との組み合わせで用いることができる。この推定出力をＰｊとして表す。
【００３４】
本発明の方法によると、光スペクトルアナライザ（ＯＳＡ）１５は、最終スパン１１Ｎ＋１において、各波長の実際の出力を測定すべく用いられる。ここで、表記ＯＮ＋１を、東西方向のリンクの出力における所定チャネルについてＯＳＡで測定される出力に対して用いる。上述の通り、ＯＳＡ１５について測定されたこの値は、正確なリンクの末端にチャネル出力を与える一方、アナログ維持ＡＭ−２は、一般的に各増幅器の位置における出力推定値を出力する。
【００３５】
光増幅器１２Ｎは、実出力ＯＮ＋１と推定出力ＰＮの間の相違として誤差項を決定し、この誤差項を、スパン１１Ｎを経て上流の光増幅器１２Ｎ−１に出力する。
【００３６】
光増幅器１２Ｎ−１は、補償出力ＯＮを得るべく、出力ＰＮ−１への各々の補正を行い、また上流光増幅器１２Ｎ−２についてのローカル誤差項ＥＮ−１を算出する。
【００３７】
そのようにして、トラフィックの方向からの上流で補償処理される。一般的に、リンク９の各光増幅器１２ｊは、下流の増幅器１２ｊ＋１から誤差項Ｅｊ＋１を受けとり、ＡＭ−２又は他の出力推定方法に従った推定出力Ｐｊを決定する。誤差項及び出力推定は、その位置で補償出力Ｏｊを算出するのに用いられる調整値Ａｄｊを決定するのに用いられる。また、各光増幅器Ａｊは、上流光増幅器１２ｊ−１についての誤差項Ｅｊを計算する。増幅器１２ｊ−１は、逆チャネルでＥｊを受けとる。
【００３８】
ＡＭ−２と組み合わせたとき、本発明の補償方法は、比較的少ない数のスパンをもつ送信リンクについて用いることができる。
【００３９】
誤差項はＳＲＳ補償モデルを用いて生成されるが、その結果現在の方法において要因とはならないシステム要素によりＳＲＳに起因する誤差を推定する。その目的は、第１誤差項Ｅ１を０（Ｅ１＝０）にすることである。このようにして、送信リンクの出力においてＯＳＡ１５で測定されるように、ＳＲＳ誤差は、各プランについて十分要因となる。
【００４０】
図３は、光増幅器１２ｊのブロック概略図を示しており、本発明に係る方法に関連するブロックのみを示すものである。光増幅器は一般的に、順方向及び逆方向増幅ユニットを備えているが、ブロック概略図は、簡略化のため東西の送信方向に関連するブロックのみを図示している。図３は、光インターフェース（ＩＦ）２１及び２２を用いてフローの方向に従ったトラフィックの分離を概略的に図示している。インターフェース２１及び２２は、例えばカプラ（結合器）又は循環器等とすることができる。
【００４１】
光増幅器１２ｊは、インターフェース２１及び２２を介して、入力スパン１１ｊ及び出力スパン１１ｊ＋１に、光学的に結合される光増幅モジュール２３で構成される。増幅ユニット２３は、光タップ１６及び１８に結合されるが、これは、光増幅モジュール２３の入出力における多重チャネル信号をサンプルするものである。このサンプルは通常、多重チャネル光信号のうち２−３％の部分である。それから入出力のタップされた部分は、Ｐｊ推定器１７によって用いられ、各チャネルについての推定出力Ｐｊを、ＡＭ−２又は他の出力推定システム毎として決定する。推定器１７は、スパン１１ｊ及び１１ｊ＋１を進行する各チャネルの多重チャネル信号についての推定出力Ｐｊを出力することを理解すべきである。しかしながら、上述のように図３は、簡略化のため１チャネルのみに関連するユニットを示している。
【００４２】
この実施形態においては、誤差項Ｅｊ＋１は、双方向光サービスチャネル（ＯＳＣ）を経て下流増幅器１２ｊ＋１から受信されるが、一般的に制御の送信及び増幅器の位置の間の情報を監視する全ての光送信システムに存在するものである。増幅ユニットは、ファイバからのＯＳＣを逆多重化（ｄｅｍｕｌｔｉｐｌｅｘ）し、各光増幅器に関する情報を抽出する手段を備えている。図３は、ＯＳＣドロップユニット２５を示しており、これは、増幅器１２ｊにおいて東西ＯＳＣチャネルを経て受信された誤差項情報Ｅｊ＋１を下流の光増幅器１２ｊ＋１から抽出する。誤差項は、ＯＳＣ以外の手段を用いて光増幅器１２ｊに提供することができることは理解すべきである。
【００４３】
誤差項Ｅｊ＋１は、推定出力Ｐｊを補正するために用いられる。図３は、Ｏｊ計算配置部２６を図示しており、推定出力Ｐｊ、調整値Ａｄｊ、及び誤差項Ｅｊ＋１を、光増幅器１２ｊの出力における出力測定として受信して、補償出力Ｏｊを出力する。上述のように、光出力器１２ｊは、全チャネルについて出力Ｐｊ及び補償出力Ｏｊを決定し、補償出力Ｏｊは、例えばスパン１１ｊの均一化のため用いられる。
【００４４】
ＳＲＳ補償モデル２７は、ローカル誤差項Ｅｊ及び調整値Ａｄｊを出力する。すなわち、誤差項Ｅｊは、推定出力Ｐｊに従ってＥｊ＋１を調節し、増幅器１２ｊで利用可能でありその場所に固有の補償要素ＣＦｊを考慮に入れることで決定される。例えば、ＣＦｊは、リンク中の増幅器１２ｊの位置、スパン１１１から１１ｊまでの長さ、ローンチ出力、波長の数、バンド等のデータを提供する関連ネットワークを含むことができる。
【００４５】
ユニット２４で示されるように、ローカル誤差項Ｅｊは、ＯＳＣに戻って追加され東西ファイバ／方向において送信されるが、上流増幅器１２ｊ−１がこれを受信して同様の補償処理を実行できるようにするためである。
【００４６】
図４は、補償モデル範囲を示す。
【００４７】
一般的に少数の波長（例えば２０）及びスパンでは、光増幅器は、ＡＭ−２に従った推定出力を用いて制御することができるが、推定がこの適用において十分正確であるからである。
【００４８】
チャネル及びスパンの数が大きくなるにつれて、ＳＲＳに誘起されたＡＭ−２の不正確さが、リンクの経済性を引き下げる。得られた推定出力は、それゆえこの発明にかかる補償システムを用いて調節されるべきである。
【００４９】
図４で見られるように、かなり大きい数のチャネル及びスパンにおいて、出力を測定する唯一の正確な方法は、光スペクトルアナライザ（ＯＳＡ）ということになる。
【００５０】
本発明は所定の例としての実施形態を参照して説明されるが、当業者ならなし得るさらなる修正及び改良は、大局的な観点から本発明の趣旨を逸脱しない範囲で、特許請求の範囲において行うことができる。
【図面の簡単な説明】
【図１Ａ】ＳＲＳのメカニズムを示す図である。
【図１Ｂ】非分散シフトファイバ（ＮＳＤＦ）、６スパンについてのＡＣ及びＤＣ伝達関数を示すグラフである。
【図２】ＡＭ−２誤差補償を行った増幅光リンクのブロック概略図である。
【図３】ＳＲＳ補償ＡＭ−２システムに結合された光増幅器のブロック概略図である。
【図４】補償モデルの範囲を示す図である。
【符号の説明】
１０　送信端末
１２１〜１２Ｎ　光増幅器
１５　光スペクトルアナライザ
２０　受信端末
２１，２２　インターフェース
２３　光増幅モジュール
２７　ＳＲＳ補償モデル
【図１Ａ】
2004515186.tif 000004
【図１Ｂ】
2004515186.tif 000005
【図２】
2004515186.tif 000006
【図３】
2004515186.tif 000007
【図４】
2004515186.tif 000008
【国際公開パンフレット】
2004515186.tif 000009
2004515186.tif 000010
2004515186.tif 000011
2004515186.tif 000012
2004515186.tif 000013
2004515186.tif 000014
2004515186.tif 000015
2004515186.tif 000016
2004515186.tif 000017
2004515186.tif 000018
2004515186.tif 000019
2004515186.tif 000020
2004515186.tif 000021
2004515186.tif 000022
2004515186.tif 000023
2004515186.tif 000024
2004515186.tif 000025
2004515186.tif 000026
【国際公開パンフレット（コレクトバージョン）】
2004515186.tif 000027
2004515186.tif 000028
2004515186.tif 000029
2004515186.tif 000030
2004515186.tif 000031
2004515186.tif 000032
2004515186.tif 000033
2004515186.tif 000034
2004515186.tif 000035
2004515186.tif 000036
2004515186.tif 000037
2004515186.tif 000038
2004515186.tif 000039
2004515186.tif 000040
2004515186.tif 000041
2004515186.tif 000042
2004515186.tif 000043
2004515186.tif 000044
【国際公開パンフレット（コレクトバージョン）】
2004515186.tif 000045
【国際調査報告】
2004515186.tif 000046
2004515186.tif 000047
2004515186.tif 000048
2004515186.tif 000049
2004515186.tif 000050